(57)【要約】【課題】細断処理能力が高く、瞬時に安定的に細断でき、大量の被細断物を短時間で能率的に処理でき、細断処理時間の短縮、回転刃の負担が小さくて済み、回転刃の損傷・磨耗等も抑制でき、被細断物が細断用回転カッターに絡みつかず、構成簡素で、耐久性に優れ、メンテナンス容易で、量産に適し、低廉で、経済的なシュレッダー装置を提供する。【解決手段】細断機構は、略丸鋸刃状の複数の回転刃１０を配した高速回転する細断用回転カッターＡと、送給路下部に配する下部ガイドプレート１と、送給路上部に配する上部ガイドプレート２とを有し、上下部ガイドプレート１、２には、複数の刃収容窓孔３、４を夫々配設し、刃収容窓孔３夫々に臨む複数の回転刃１０によって下部ガイドプレート１上を移動する被細断物を細断し、この被細断物は、細断用回転カッターＡの回転による上方への移動を上部ガイドプレート２によって阻止できるよう構成する。【選択図】図１
2008161768.tif 000002
【特許請求の範囲】
【請求項１】
適宜駆動手段により高速回転する細断用回転カッターを有する細断機構を備えたシュレッダー装置であって、前記細断機構は、適宜ケース内に配されると共に、その回転軸芯に沿って略丸鋸刃状の複数の回転刃を所定間隔に配してなる細断用回転カッターと、被細断物の送給路下部に配される下部ガイドプレートと、送給路上部に配される上部ガイドプレートとを有し、下部ガイドプレート及び上部ガイドプレートは、複数の回転刃夫々の外周縁がわの一部が貫通するよう収容可能な複数の刃収容窓孔を夫々配設せしめて形成され、送給路を送給される被細断物は、下部ガイドプレート上を移動する際に、刃収容窓孔夫々に臨む細断用回転カッターの複数の回転刃によって細断されると共に、この細断された被細断物は、細断用回転カッターの回転による上方への移動を上部ガイドプレートによって阻止できるように構成したことを特徴とするシュレッダー装置。
【請求項２】
適宜駆動手段により高速回転する細断用回転カッターを有する細断機構と、この細断用回転カッターに併設される二次切断用回転カッターを有する切断機構とを備えたシュレッダー装置であって、前記細断機構は、適宜ケース内に配される細断用回転カッターと、被細断物の送給路下部に配される下部ガイドプレートと、送給路上部に配される上部ガイドプレートとを有し、細断用回転カッターは、回転軸芯に沿って所定間隔で配される略丸鋸刃状の複数の回転刃を備え、下部ガイドプレート及び上部ガイドプレートは、複数の回転刃夫々の外周縁がわの一部が貫通するよう収容可能な複数の刃収容窓孔を夫々配設せしめて形成され、送給路を送給される被細断物は、下部ガイドプレート上を移動する際に、刃収容窓孔夫々に臨む細断用回転カッターの複数の回転刃によって細断されると共に、この細断された被細断物は、細断用回転カッターの回転による上方への移動を上部ガイドプレートによって阻止できるように構成し、前記切断機構は、適宜ケース内に配される二次切断用回転カッターを有し、この二次切断用回転カッターは、回転軸芯に対して平行となると共に、回転方向に沿って所定間隔で配される複数の切断刃を備え、細断用回転カッターで細断された被細断物を、その長手方向に於いて所定間隔で切断できるように構成したことを特徴とするシュレッダー装置。
【請求項３】
細断用回転カッターは、その外径寸法が異なる少なくとも二種類以上の回転刃を組合せることによって構成したことを特徴とする請求項１または請求項２記載のシュレッダー装置。
【発明の詳細な説明】
【技術分野】
【０００１】
本発明は、主に、不要となった紙等のようなシート状の被細断物や、或いは紙等を複数重ねた状態の被細断物や、或いは紙等を複数束ねた状態の書類状の被細断物等を細断できるようにしたシュレッダー装置に係り、特に、細断処理能力が高く、大量の被細断物を短時間で処理でき、しかも、構成が簡素で、耐久性に優れ、メンテナンスが容易となるように工夫したシュレッダー装置に関するものである。
【背景技術】
【０００２】
従来、この種のシュレッダー装置としては種々のものが提供されており、例えば、特許文献１のように、多数の切断刃を有する一対のロールカッターの間に紙等の被細断物を挿入して細断できるように構成されたものが数多く提供されている。
【０００３】
【特許文献１】特開平１１−２９０７０８号
【発明の開示】
【発明が解決しようとする課題】
【０００４】
ところが、従来のシュレッダー装置にあっては、多数枚重ねた状態の被細断物を一対のロールカッターによるせん断作用を利用して細断するようにしているため、一対のロールカッターの回転トルクがかなり高く、且つ回転速度がかなり遅く設定されており、結果的に細断処理時間が長くなってしまう難点があった。特に、大量の被細断物を処理する場合には、作業を能率的に行うことが難しい問題点があった。
また、所定枚数以上に重ねた状態の被細断物を細断しようとすると、これを一対のロールカッターが噛み込んだ状態となって負荷が増大し、一対のロールカッターが停止して細断作業が中断されてしまう虞れ等もあった。
【課題を解決するための手段】
【０００５】
そこで、本発明は前述の如き難点等を解消できるようなシュレッダー装置を提供すべく創出されたもので、請求項１記載のシュレッダー装置にあっては、適宜駆動手段により高速回転する細断用回転カッターＡを有する細断機構を備えたシュレッダー装置であって、前記細断機構は、適宜ケース３０内に配されると共に、その回転軸芯に沿って略丸鋸刃状の複数の回転刃１０を所定間隔に配してなる細断用回転カッターＡと、被細断物の送給路下部に配される下部ガイドプレート１と、送給路上部に配される上部ガイドプレート２とを有し、下部ガイドプレート１及び上部ガイドプレート２は、複数の回転刃１０夫々の外周縁がわの一部が貫通するよう収容可能な複数の刃収容窓孔３、４を夫々配設せしめて形成され、送給路を送給される被細断物は、下部ガイドプレート１上を移動する際に、刃収容窓孔３夫々に臨む細断用回転カッターＡの複数の回転刃１０によって細断されると共に、この細断された被細断物は、細断用回転カッターＡの回転による上方への移動を上部ガイドプレート２によって阻止できるように構成する手段を採用した。
【０００６】
また、請求項２記載のシュレッダー装置にあっては、適宜駆動手段により高速回転する細断用回転カッターＡを有する細断機構と、この細断用回転カッターＡに併設される二次切断用回転カッターＢを有する切断機構とを備えたシュレッダー装置であって、前記細断機構は、適宜ケース３０内に配される細断用回転カッターＡと、被細断物の送給路下部に配される下部ガイドプレート１と、送給路上部に配される上部ガイドプレート２とを有し、細断用回転カッターＡは、回転軸芯に沿って所定間隔で配される略丸鋸刃状の複数の回転刃１０を備え、下部ガイドプレート１及び上部ガイドプレート２は、複数の回転刃１０夫々の外周縁がわの一部が貫通するよう収容可能な複数の刃収容窓孔３、４を夫々配設せしめて形成され、送給路を送給される被細断物は、下部ガイドプレート１上を移動する際に、刃収容窓孔３夫々に臨む細断用回転カッターＡの複数の回転刃１０によって細断されると共に、この細断された被細断物は、細断用回転カッターＡの回転による上方への移動を上部ガイドプレート２によって阻止できるように構成し、前記切断機構は、適宜ケース３０内に配される二次切断用回転カッターＢを有し、この二次切断用回転カッターＢは、回転軸芯に対して平行となると共に、回転方向に沿って所定間隔で配される複数の切断刃２２を備え、細断用回転カッターＡで細断された被細断物を、その長手方向に於いて所定間隔で切断できるように構成する手段を採用した。
【０００７】
更に、請求項３記載のシュレッダー装置にあっては、細断用回転カッターＡは、その外径寸法が異なる少なくとも二種類以上の回転刃１０を組合せることによって構成する手段を採用した。
【発明の効果】
【０００８】
従って、本発明の請求項１記載のシュレッダー装置によれば、不要となった紙等のようなシート状の被細断物や、或いは紙等を複数重ねた状態の被細断物や、或いは紙等を複数束ねた状態の書類状の被細断物等の細断処理能力が極めて高く、大量の被細断物を短時間で能率的に処理できるものとなる。しかも、構成が簡素で、耐久性に優れ、メンテナンスが容易で、量産に適し、比較的低廉に提供でき、経済的なシュレッダー装置となる。
【０００９】
特に、紙等のようなシート状の被細断物（数枚程度重なった状態の被細断物も含む）の場合は、これを細断用回転カッターＡの複数の回転刃１０と下部ガイドプレート１とにより瞬時に且つ安定的に細断できるようになる。また、紙等を複数重ねた状態の被細断物の場合は、これを短時間で且つ安定的に細断できるようになり、更に、紙等を複数束ねた状態の書類状の被細断物の場合も、これを短時間で且つ安定的に細断できるようになる。すなわち、回転刃１０が高速回転することと、略丸鋸刃状であることとにより、比較的厚くなっている被細断物を細断する場合であっても、これを切断するように細断せしめるため、従来のシュレッダー装置のようなせん断作用を利用した細断と異なり、被細断物を噛み込んで細断作業が頻繁に中断されるような虞れのないものとなる。
しかも、下部ガイドプレート１と上部ガイドプレート２によって、送給できる被細断物の厚みを簡単に且つ確実に制限できるようになる。
【００１０】
そして、被細断物は、複数の略丸鋸刃状回転刃１０で切断される（回転刃１０の厚み部分が微細化されると共に、切断端縁が不規則に破られた状態となる）ように細断されるため、仮に細断片を集めて被細断物を復元しようとしても、回転刃１０で切断された部分の復元が不可能であり、細断片から情報が漏洩する虞れの全く無いものとなる。
【００１１】
加えて、紙等のようなシート状の被細断物（数枚程度重なった状態の被細断物も含む）を細断する場合は、これを瞬時に細断できるため、被細断物をかなり速く送給できるようになり、細断処理時間の短縮は勿論のこと、細断用回転カッターＡの回転刃１０自体にかかる負担が小さくて済み、回転刃１０の損傷・磨耗等も抑制でき、耐久性にも良い影響を与えるものとなる。
【００１２】
更に、上部ガイドプレート２を設けてあることにより、細断された被細断物が回転刃１０との摩擦等によって細断用回転カッターＡと共に上方へ移動しようとするのを確実に阻止できるようになる。すなわち、細断された被細断物が細断用回転カッターＡの回転軸１１やスペーサー１２等に絡みつき、これが徐々に大きくなって、回転刃１０による切断ができなくなるような虞れがなくなり、下部ガイドプレート１と上部ガイドプレート２の間の搬送路を被細断物がスムーズに移動して、より能率的な細断作業が行えるようになる。
【００１３】
また、本発明の請求項２記載のシュレッダー装置によれば、不要となった紙等のようなシート状の被細断物や、或いは紙等を複数重ねた状態の被細断物や、或いは紙等を複数束ねた状態の書類状の被細断物等の細断処理能力が極めて高く、大量の被細断物を短時間で能率的に処理できるものとなる。しかも、構成が簡素で、耐久性に優れ、メンテナンスが容易で、量産に適し、比較的低廉に提供でき、経済的なシュレッダー装置となる。
【００１４】
特に、紙等のようなシート状の被細断物（数枚程度重なった状態の被細断物も含む）の場合は、これを細断用回転カッターＡの複数の回転刃１０と下部ガイドプレート１とにより瞬時に且つ安定的に細断できるようになる。また、紙等を複数重ねた状態の被細断物の場合は、これを短時間で且つ安定的に細断できるようになり、更に、紙等を複数束ねた状態の書類状の被細断物の場合も、これを短時間で且つ安定的に細断できるようになる。すなわち、回転刃１０が高速回転することと、略丸鋸刃状であることとにより、比較的厚くなっている被細断物を細断する場合であっても、これを切断するように細断せしめるため、従来のシュレッダー装置のようなせん断作用を利用した細断と異なり、被細断物を噛み込んで細断作業が頻繁に中断されるような虞れのないものとなる。
しかも、下部ガイドプレート１と上部ガイドプレート２によって、送給できる被細断物の厚みを簡単に且つ確実に制限できるようになる。
【００１５】
加えて、前記切断機構は、適宜ケース３０内に配される二次切断用回転カッターＢを有し、この二次切断用回転カッターＢは、回転軸芯に対して平行となると共に、回転方向に沿って所定間隔で配される複数の切断刃２２を備え、細断用回転カッターＡで細断された被細断物を、その長手方向に於いて所定間隔で切断できるように構成したので、細断用回転カッターＡで細断された被細断物を、長手方向でより細かく切断できるようになる。しかも、その切断が簡単な構成で行えると共に、よりスムーズに且つ能率良く行えるようになる。
【００１６】
そして、被細断物は、複数の略丸鋸刃状回転刃１０で切断される（回転刃１０の厚み部分が微細化されると共に、切断端縁が不規則に破られた状態となる）ように細断されるため、仮に細断片を集めて被細断物を復元しようとしても、回転刃１０で切断された部分の復元が不可能であり、細断片から情報が漏洩する虞れの全く無いものとなる。更に、この細断片が二次切断用回転カッターＢで更に細かく切断され、情報等の漏洩の虞れの全く無いものとなる。
【００１７】
加えて、紙等のようなシート状の被細断物（数枚程度重なった状態の被細断物も含む）を細断する場合は、これを瞬時に細断できるため、被細断物をかなり速く送給できるようになり、細断処理時間の短縮は勿論のこと、細断用回転カッターＡの回転刃１０自体にかかる負担が小さくて済み、回転刃１０の損傷・磨耗等も抑制でき、耐久性にも良い影響を与えるものとなる。
【００１８】
それから、上部ガイドプレート２を設けてあることにより、細断された被細断物が回転刃１０との摩擦等によって細断用回転カッターＡと共に上方へ移動しようとするのを確実に阻止できるようになる。すなわち、細断された被細断物が細断用回転カッターＡの回転軸１１やスペーサー１２等に絡みつき、これが徐々に大きくなって、回転刃１０による切断ができなくなるような虞れがなくなり、下部ガイドプレート１と上部ガイドプレート２の間の搬送路を被細断物がスムーズに移動して、より能率的な細断作業が行えるようになる。
【００１９】
更に、本発明の請求項３記載のシュレッダー装置によれば、被細断物を細断用回転カッターＡで細断し始める際に、全ての回転刃１０が被細断物を同時に細断することがなくなり、多数枚重ねた状態の被細断物を細断するときでも、細断用回転カッターＡが噛み込み状態となって、細断作業が中断するような虞れの無いものとなる。ひいては、細断用回転カッターＡに大きな負荷がかからないようになり、細断用回転カッターＡの耐久性が向上するようになる。
【発明を実施するための最良の形態】
【００２０】
以下、本発明を図示例に基づいて説明すると、次の通りである。
本発明は、主に、不要となった紙等のようなシート状の被細断物や、或いは紙等を複数重ねた状態の被細断物や、或いは紙等を複数束ねた状態の書類状の被細断物等の適宜被細断物を細断でき、特に、細断処理能力が極めて高く、大量の被細断物を短時間で処理できるようにしたシュレッダー装置に係るもので、室内に設置して使用したり、或いは、ゴミ収集車等に搭載して使用したりできるように構成されたものである。
具体的には、適宜駆動手段により高速回転（例えば、１分当たり３００〜７００回転）する細断用回転カッターＡを有する細断機構を少なくとも備え、この細断機構は、適宜ケース３０内に配されると共に、その回転軸芯に沿って略丸鋸刃状の複数の回転刃１０を所定間隔に配してなる細断用回転カッターＡと、被細断物の送給路下部に配される下部ガイドプレート１と、送給路上部に配される上部ガイドプレート２とを有するものである。
そして、下部ガイドプレート１及び上部ガイドプレート２は、複数の回転刃１０夫々の外周縁がわの一部が貫通するよう収容可能な複数の刃収容窓孔３、４を夫々配設せしめて形成され、送給路を送給される被細断物は、下部ガイドプレート１上を移動する際に、刃収容窓孔３夫々に臨む細断用回転カッターＡの複数の回転刃１０によって細断されると共に、この細断された被細断物は、細断用回転カッターＡの回転による上方への移動を上部ガイドプレート２によって阻止できるように構成したものである。
すなわち、紙等のようなシート状の被細断物（数枚程度重なった状態の被細断物も含む）の場合は、これを細断用回転カッターＡにより瞬時に且つ安定的に細断でき、また、紙等を複数重ねた状態の被細断物や、紙等を複数束ねた状態の書類状の被細断物のように、比較的厚くなっている被細断物を細断する場合は、これを切断するように細断せしめて、短時間で且つ安定的に細断できるように構成されたものである。
また、前記細断用回転カッターＡに二次切断用回転カッターＢを有する切断機構を併設し、この切断機構は、適宜ケース３０内に配される二次切断用回転カッターＢを有し、この二次切断用回転カッターＢは、回転軸芯に対して平行となると共に、回転方向に沿って所定間隔で配される複数の切断刃２２を備え、細断用回転カッターＡで細断された被細断物を、その長手方向に於いて所定間隔で切断できるように構成されている。
【実施例】
【００２１】
本発明のシュレッダー装置に設けられる搬送路は、例えば、ケース３０（或いは、ケース３０内のフレーム材等）に固定される下部ガイドプレート１と、ケース３０（或いは、ケース３０内のフレーム材等）に固定されると共に、下部ガイドプレート１の上方に適宜間隔を隔てた状態に配される上部ガイドプレート２との間に構成されるようになる。すなわち、下部ガイドプレート１と上部ガイドプレート２によって、送給できる被細断物の厚みを簡単に且つ確実に制限できるように構成されている。
【００２２】
前記下部ガイドプレート１は、例えば、適宜金属製の矩形板等によって構成され、しかも、複数の略細長矩形状の刃収容窓孔３が並設されている。
そして、下部ガイドプレート１は、細断用回転カッターＡの回転軸１１より下がわに配されると共に、複数の刃収容窓孔３夫々に複数の回転刃１０の外周縁がわの一部が夫々収容された状態となるように形成されている。
【００２３】
また、前記上部ガイドプレート２は、例えば、適宜金属製の矩形板等によって構成され、しかも、複数の略細長矩形状の刃収容窓孔４が並設されている。
そして、上部ガイドプレート２は、細断用回転カッターＡの回転軸１１より下がわで且つ下部ガイドプレート１の上方に配されると共に、複数の刃収容窓孔４夫々に複数の回転刃１０の外周縁がわ（或いは、回転軸１１がわでも良い）の一部が夫々収容された状態となるように形成されている。すなわち、上部ガイドプレート２の刃収容窓孔４は、下部ガイドプレート１の刃収容窓孔３より長く形成されるようになっている。
更に、上部ガイドプレート２の一端縁がわ部分は、斜め上方に向って折曲されており（上部ガイドプレート２と下部ガイドプレート１の間隔が一端縁がわに行くに従って漸次大きくなるように形成してある。）、被細断物を送給し易く形成してある。
【００２４】
ところで、下部ガイドプレート１や上部ガイドプレート２には、自動的に（或いは、手動的に）被細断物を細断用回転カッターＡに連続送給可能となるような送給機構を付設しても良い。
また、下部ガイドプレート１及び上部ガイドプレート２は、例えば、図１に示すように略水平に配しても良いし、或いは、図３に示すように他端縁がわが低くなるような傾斜状態に配して、被細断物の細断用回転カッターＡへの送給が重力を利用してよりスムーズに行われるように形成しても良い。更に、その傾き等を自在に調節できるように形成してあっても良い。
【００２５】
前記細断用回転カッターＡは、例えば、ケース３０或いはフレームに回転自在に支持される回転軸１１と、この回転軸１１の両端部がわに固定される一対の側板１５と、この一対の側板１５の間に、スペーサー１２を介して所定間隔隔てた状態で配される複数の略丸鋸刃状回転刃１０とからなり（図４参照）、複数の回転刃１０の外周縁がわ（中心寄りでも良い）の一部が下部ガイドプレート１及び上部ガイドプレート２の刃収容窓孔３、４夫々に収容されるように形成してある。すなわち、下部ガイドプレート１上を送給される被細断物を複数の回転刃１０で切断して細断できるように形成されている。しかも、細断用回転カッターＡ自体の組立て、分解が簡単に行え、消耗品でもある回転刃１０の互換装着が簡単に行え、取り扱い易く、メンテナンスし易い細断用回転カッターＡとなるように構成されている。
【００２６】
また、細断用回転カッターＡは、図２に示すように、ケース３０或いはフレームに回転自在に支持される回転軸１１と、この回転軸１１に固定される一対の側板１５と、この一対の側板１５の間に架設状に配される複数（例えば、四本）の取付杆１６と、この取付杆１６に貫通装着されると共に、スペーサー１２を介して所定間隔隔てた状態で配される複数の略丸鋸刃状回転刃１０とで構成したものでも良い。すなわち、下部ガイドプレート１上を送給される被細断物を複数の回転刃１０で切断して細断できるように形成されている。しかも、細断用回転カッターＡ自体を堅牢に且つ軽量に構成できて、更に、細断用回転カッターＡ自体の組立て、分解が簡単に行え、消耗品でもある回転刃１０の互換装着が簡単に行え、取り扱い易く、メンテナンスし易い細断用回転カッターＡとなるように構成されている。
【００２７】
更に、細断用回転カッターＡは、図６に示すように、ケース３０或いはフレームに回転自在に支持される一対の回転軸１１と、この一対の回転軸１１に夫々固定される一対の側板１５と、この一対の側板１５の間に架設状に配される複数（例えば、四本）の取付杆１６と、この取付杆１６に貫通装着されると共に、スペーサー１２を介して所定間隔隔てた状態で配される複数の略丸鋸刃状回転刃１０とで構成したものでも良い。すなわち、下部ガイドプレート１上を送給される被細断物を複数の回転刃１０で切断して細断できるように形成されている。しかも、細断用回転カッターＡ自体を堅牢に且つ軽量に構成できて、更に、細断用回転カッターＡ自体の組立て、分解が簡単に行え、消耗品でもある回転刃１０の互換装着が簡単に行え、取り扱い易く、メンテナンスし易い細断用回転カッターＡとなるように構成されている。
【００２８】
前記回転刃１０は、例えば、略丸鋸刃状を呈し、その中央部分に比較的大きな円形の透孔１９が穿設され、この透孔１９の周囲に取付杆１６が貫通可能となるような複数（例えば、四個）の円形貫通孔１８が穿設されている（図５、図６参照）。すなわち、複数の回転刃１０の連結状態が強固で且つ安定的となるように形成されている。
しかも、回転刃１０の外周部分に設けた複数の切刃は、交互に左右側部に折曲げるように形成してあり（例えば、アサリ状に形成してあり）、この切刃で切断された部分は、ある程度の幅部分が切り屑状となる（微細化される）と共に、切断端縁が不規則に破られた状態（ギザギザ状態）となるため、仮に細断片を集めても再現することが不可能となるように形成してある。
【００２９】
また、回転刃１０は、その外径寸法が異なる少なくとも二種類以上のものを組合せるように形成しても良い（図５及び図６参照）。すなわち、被細断物を細断用回転カッターＡで細断し始める際に、全ての回転刃１０が被細断物を同時に細断するようなことがなくなるようにして、多数枚重ねた状態の被細断物を細断するときでも、細断用回転カッターＡが噛み込み状態となって、細断作業が中断し難くなるように形成しても良い。
【００３０】
尚、回転刃１０は、回転軸１１が挿通されるキー溝付取付孔のみが、その中央部分に穿設されたものであっても良い。
【００３１】
前記回転軸１１は、例えば、略短円柱状を呈し、一対の側板１５夫々に固着されている。また、この回転軸１１は、一本の長尺円柱状に構成し、一対の基盤１０を貫通するように形成されたものであっても良い。
【００３２】
前記スペーサー１２は、例えば、略短円筒状を呈し、隣設する回転刃１０の間に介装されて、複数の回転刃１０を所定の間隔に配せるように形成されている。
ところで、このスペーサー１２は、取付杆１６夫々に外装できるような小さな略短円筒状に形成されたものでも良いし、或いは、回転軸１１に外装できるように形成されたものでも良いし、或いは、複数の取付杆１６を全体的に囲撓（外接）するような大きな略短円筒状に形成されたものでも良いし、その他適宜構成、形状、寸法のものを利用できる。
【００３３】
前記側板１５は、例えば、略円板状を呈し、その中央部分に回転軸１１の端部が固着されている。しかも、その外周部分には、取付杆１６が貫通可能となるような複数（例えば、四個）の円孔が穿設（或いは、略Ｕ字状の溝が凹設）されている。
また、側板１５は、例えば、略円板状を呈し、その中央部分に回転軸１１が貫通状に固着されたものでも良い。
【００３４】
前記取付杆１６は、例えば、略長尺丸棒状を呈し、その両端部分には雄ネジ部が形成されている。そして、この雄ネジ部には、ワッシャーが挿通されると共にナットが螺着され、これらによって、取付杆１６を一対の基盤１０に分解可能に固定できるよう構成されている。
【００３５】
前記二次切断用回転カッターＢは、例えば、ケース３０或いはフレームに回転自在に支持される回転軸２１と、この回転軸２１の両端部がわに固定される一対の側板２０と、この一対の側板２０の間に、架設状にその両端部分が固着される複数の切断刃２２とからなっている（図１、図２、図３参照）。すなわち、二次切断用回転カッターＢは、複数の切断刃２２を回転軸２１に対して平行とすると共に、回転方向に沿って所定間隔で配して構成され、細断用回転カッターＡで細断された被細断物を、その長手方向に於いて複数の切断刃２２が所定間隔で切断するように構成されている。
【００３６】
尚、下部ガイドプレート１の他端縁がわには、固定受け部が配されており、この固定受け部上を移動してきた細断用回転カッターＡで細断された被細断物が、二次切断用回転カッターＢの切断刃２２によって切断されるようになっている。
【００３７】
前記側板２０は、例えば、略円板状を呈し、その中央部分に回転軸２１が貫通状に固着されている。
【００３８】
前記回転軸２１は、例えば、ケース３０或いはフレームに回転自在に支持されると共に、一本の長尺円柱状に構成され、一対の側板２０を貫通するように形成されている。
【００３９】
前記切断刃２２は、例えば、略細長帯板状に形成され、一対の側板２０の間に架設状にその両端部分が固着されると共に、回転軸２１を中心とする放射方向に沿うように配されている。
【００４０】
前記ケース３０は、例えば、細断用回転カッターＡ及び二次切断用回転カッターＢを覆うように形成されて、作業安全性が確実に維持できるように設けられている。しかも、細断片が飛び散ることなく所定の位置に集まるように形成されている。
【００４１】
尚、ケース３０には、例えば、ブロワー等を利用した適宜送風手段を設けておき、細断片を所望の位置に送給できるように形成しても良い。すなわち、細断された細断片が一ヶ所に留まってケース３０内が詰まることがないように形成しても良い。
【００４２】
ところで、シュレッダー装置の具体的構成、形状、寸法、送給機構の具体的構成、形状、寸法、配設位置、駆動手段の具体的構成、配設位置、搬送路の具体的構成、形状、寸法、配設位置、細断機構の具体的構成、形状、配設位置、切断機構の具体的構成、形状、配設位置、下部ガイドプレート１の具体的構成、形状、寸法、材質、配設位置、上部ガイドプレート２の具体的構成、形状、寸法、材質、配設位置、刃収容窓孔３の具体的構成、形状、寸法、数、配設位置、刃収容窓孔４の具体的構成、形状、寸法、数、配設位置、細断用回転カッターＡの具体的構成、形状、寸法、材質、配設位置、回転刃１０の具体的構成、形状、寸法、材質、数、配設位置、回転軸１１の具体的構成、形状、寸法、材質、数、配設位置、スペーサー１２の具体的構成、形状、寸法、材質、数、配設位置、側板１５の具体的構成、形状、寸法、材質、配設位置、取付杆１６の具体的構成、形状、寸法、材質、数、配設位置、貫通孔１８の具体的構成、形状、寸法、数、配設位置、透孔１９の具体的構成、形状、寸法、配設位置、二次切断用回転カッターＢの具体的構成、形状、寸法、材質、配設位置、側板２０の具体的構成、形状、寸法、材質、配設位置、回転軸２１の具体的構成、形状、寸法、材質、配設位置、切断刃２２の具体的構成、形状、寸法、材質、数、配設位置、ケース３０の具体的構成、形状、寸法、材質等は図示例のもの等に限定されることなく適宜自由に設定、変更できるものである。
【図面の簡単な説明】
【００４３】
【図１】本発明のシュレッダー装置を例示する一部切欠概略側面図である。
【図２】本発明のシュレッダー装置を例示する一部切欠概略平面図である。
【図３】本発明の他のシュレッダー装置を例示する一部切欠概略側面図である。
【図４】本発明のシュレッダー装置の細断用回転カッターを例示する一部切欠平面図である。
【図５】本発明のシュレッダー装置の他の細断用回転カッターを例示する一部切欠側面図である。
【図６】本発明のシュレッダー装置の他の細断用回転カッターを例示する一部切欠平面図である。
【符号の説明】
【００４４】
１      下部ガイドプレート
２      上部ガイドプレート
３      刃収容窓孔
４      刃収容窓孔
Ａ      細断用回転カッター
１０    回転刃
１１    回転軸
１２    スペーサー
１５    側板
１６    取付杆
１８    貫通孔
１９    透孔
Ｂ      二次切断用回転カッター
２０    側板
２１    回転軸
２２    切断刃
３０    ケース
【図１】
2008161768.tif 000003
【図２】
2008161768.tif 000004
【図３】
2008161768.tif 000005
【図４】
2008161768.tif 000006
【図５】
2008161768.tif 000007
【図６】
2008161768.tif 000008